(57)【要約】【課題】映像表示装置との間隔に応じた表示画面サイズの制御を行うことで、常に視聴者に対して最適な映像の表示を行うことが可能な映像表示装置を提供することを目的とする。【解決手段】映像表示装置と視聴者との視聴距離を測定する視聴距離測定手段２と、視聴距離に適した画面表示の表示サイズを算出する視聴距離適正サイズ算出手段３と、映像サイズに適した表示位置を算出する映像表示位置算出手段４と、映像データを指定した映像サイズに変換する映像データリサイズ手段５と、を備える映像表示装置である。【選択図】図１
2010175885.tif 000002
【特許請求の範囲】
【請求項１】
映像表示装置と視聴者との視聴距離を測定する視聴距離測定手段と、視聴距離に適した画面表示の表示サイズを算出する視聴距離適正サイズ算出手段と、映像サイズに適した表示位置を算出する映像表示位置算出手段と、映像データを指定した映像サイズに変換する映像データリサイズ手段と、を備える映像表示装置。
【発明の詳細な説明】
【技術分野】
【０００１】
本発明は映像表示装置に関し、特に映像表示の制御方法に関するものである。
【背景技術】
【０００２】
人が、テレビなどの映像表示装置の画面に表示される映像を鑑賞する場合、予め設定した所定距離範囲内に近接して鑑賞することを防止するために、画面から視聴者までの距離を測定し、その結果に基づき、自動的に映像表示装置の画面をオフしたりすることで視聴者に注意を喚起する映像表示装置が提案されている（例えば、特許文献１参照）。
【特許文献１】特開平９−１０７５０８号公報
【発明の開示】
【発明が解決しようとする課題】
【０００３】
しかしながら上述した映像表示装置では、予め設定した所定距離範囲内に近接した場合に映像表示装置の画面をオフする（表示を止める）という動作を行うものであることから、オフとなってしまった時間の間、表示内容を鑑賞することができなくなってしまう、という不具合が生じてしまうものであった。
【０００４】
本発明はこのような現状に鑑みなされたもので、映像表示装置との間隔に応じた表示画面サイズの制御を行うことで、常に視聴者に対して最適な映像の表示を行うことが可能な映像表示装置を提供することを目的とする。
【課題を解決するための手段】
【０００５】
上記目的を実現するために本発明の映像表示装置は、映像表示装置と視聴者との視聴距離を測定する視聴距離測定手段と、視聴距離に適した画面表示の表示サイズを算出する視聴距離適正サイズ算出手段と、映像サイズに適した表示位置を算出する映像表示位置算出手段と、映像データを指定した映像サイズに変換する映像データリサイズ手段と、を備えるものである。
【発明の効果】
【０００６】
本発明によれば、映像表示装置に接近して鑑賞した場合に、映像表示装置との間隔に応じた表示画面サイズの制御を行うので、常に視聴者に対して最適な映像の表示を行うことが可能な映像表示装置を提供することができる。
【発明を実施するための最良の形態】
【０００７】
以下、本発明の一実施の形態による映像表示装置について、図面を用いて説明する。
【０００８】
図１は、本発明の一実施の形態による映像表示装置の概略構成を模式的に示すブロック図である。
【０００９】
本発明の一実施の形態による映像表示装置は、距離センサー１と視聴距離測定手段２と視聴距離適正サイズ算出手段３と映像表示位置算出手段４と映像データリサイズ手段５とメモリ６とを備える。
【００１０】
ここで図１に示すように、映像データは映像データリサイズ手段５によって、映像データの処理が行われる。
【００１１】
映像データの処理が開始されると、距離センサー１（距離センサーは、例えば赤外線センサーなどを挙げることができるが、特にこれに限るものではなく不問である。）により、画面と視聴者の距離に応じた画面表示サイズを自動で調整するために、まず画面と視聴者の距離データを取得する。
【００１２】
また、視聴距離測定手段２により、距離センサー１で取得した距離データを用いて、画面と視聴者との距離を測定する。
【００１３】
また、視聴距離適正サイズ算出手段３により、視聴距離測定手段２で取得した画面と視聴者との距離の測定結果を用いて、画面と視聴者との距離に適した画面表示サイズを算出し、画面に表示する表示倍率を決定する。すなわち、最適視聴距離は画面の高さの３倍であるため、視聴距離／３の算出式により最適画面高さを算出し、算出した最適画面高さに対応する画面サイズになるような表示倍率を算出する。表示倍率は、視聴距離をＤ、画面高さをＨ、最適画面高さをＨＤとすると、最適画面高さの数式はＨＤ＝Ｄ／３となり、表示倍率は次式で算出することができる。（７×Ｈ／８）＜ＨＤの場合は等倍表示となり、（３×Ｈ／４）＜ＨＤ≦（７×Ｈ／８）の場合は７／８倍表示となり、（５×Ｈ／８）＜ＨＤ≦（３×Ｈ／４）の場合は３／４倍表示となり、（Ｈ／２）＜ＨＤ≦（５×Ｈ／８）の場合は５／８倍表示となり、ＨＤ≦（Ｈ／２）の場合は１／２倍表示となる。
【００１４】
また、映像表示位置算出手段４により、視聴距離適正サイズ算出手段３で算出した画面表示の倍率に従って、映像を表示する座標位置を算出する。
【００１５】
また、映像データリサイズ手段５により、視聴距離適正サイズ算出手段３で算出した画面表示サイズと、映像表示位置算出手段４で算出した映像表示位置になるように映像データを変換する。
【００１６】
また、メモリ６に、映像データリサイズ手段５でリサイズした後の映像データを格納し、映像表示が行われる。
【００１７】
以上により、視聴者とテレビの距離に適した画面表示サイズに変更することが可能となる。
【００１８】
図２は、映像表示装置の画面を模式的に示す図であり、フルハイビジョンの「１９２０×１０８０」の画素を備える場合を示している。
【００１９】
図２に模式的に示す映像表示装置における映像の表示サイズの算出を行う。表示サイズの幅Ｗ、高さＨ、表示倍率をαとすると、表示サイズの幅はＷ＝１９２０×α、高さはＨ＝１０８０×αで算出することができる。次に、映像の表示開始位置の算出を行う。表示開始位置のＸ座標をＸ、Ｙ座標をＹとすると、Ｘ座標はＸ＝（１９２０−Ｗ）／２、Ｙ座標はＹ＝（１０８０−Ｈ）／２で算出することができる。
【００２０】
以上の計算式により、図２（ｂ）のＩの領域は、Ｗ＝１９２０×７／８＝１６８０、Ｈ
＝１０８０×７／８＝９４５、Ｘ＝（１９２０−１６８０）／２＝１２０、Ｙ＝（１０８０−９４５）／２＝６８となる。
【００２１】
また、図２（ｃ）のIIの領域は、Ｗ＝１９２０×３／４＝１４４０、Ｈ＝１０８０×３
／４＝８１０、Ｘ＝（１９２０−１４４０）／２＝２４０、Ｙ＝（１０８０−８１０）／２＝１３５となる。
【００２２】
また、図２（ｄ）のIIIの領域は、Ｗ＝１９２０×５／８＝１２００、Ｈ＝１０８０×５／８＝６７５、Ｘ＝（１９２０−１２００）／２＝３６０、Ｙ＝（１０８０−６７５）／２＝２０３となる。
【００２３】
また、図２（ｅ）のIVの領域は、Ｗ＝１９２０×１／２＝９６０、Ｈ＝１０８０×１／
２＝５４０、Ｘ＝（１９２０−９６０）／２＝４８０、Ｙ＝（１０８０−５４０）／２＝２７０となる。
【００２４】
上述したような計算を行うことで、図２のＩ、II、III、IVの領域は、表示開始位置（Ｘ、Ｙ）、幅Ｗ、高さＨのサイズで表示をすることにより、映像表示装置の画面の中央部に所定の表示倍率の映像の表示が行えることになる。
【００２５】
図３は、本発明の一実施の形態による映像表示装置における映像表示の一例を示す図であり、表示倍率が、図３（ａ）は等倍表示、図３（ｂ）は７／８倍表示、図３（ｃ）は３／４倍表示、図３（ｄ）は５／８倍表示、図３（ｅ）は１／２倍表示、の表示状態を示すものである。
【００２６】
なお、以上の説明における、映像表示の表示サイズを選択し、この映像表示倍率に従って映像表示の表示サイズを算出するという流れにおいては、自動で調整する方法であっても、手動で調整方法であってもどちらでも良く、また、画面サイズの調整を解除する選択肢が選択できるようにしても良い。
【００２７】
また、画面サイズだけではなく、画面の明るさ調整など複数項目を同時に制御するようにしても良い。その場合は、図１に示す構成に、画面の明るさ調整などを行う映像調整制御手段を付加させれば良い。
【００２８】
上述した本発明の一実施の形態による映像表示装置によれば、映像表示装置に接近して鑑賞した場合に、映像表示装置との間隔に応じた表示画面サイズの制御を行うことで、常に視聴者に対して最適な映像の表示を行うことが可能な映像表示装置を提供することが可能となる。
【００２９】
その結果、従来のような、一定時間オフされてしまうことによってテレビ番組を見逃してしまうといった状態が発生することを解決することができる。
【産業上の利用可能性】
【００３０】
上述したように本発明は、視聴距離に適した映像表示を行う映像表示装置を提供する上で有用な発明である。
【図面の簡単な説明】
【００３１】
【図１】本発明の一実施の形態による映像表示装置の概略構成を模式的に示すブロック図
【図２】映像表示装置の画面を模式的に示す図
【図３】本発明の一実施の形態による映像表示装置における映像表示の一例を示す図
【符号の説明】
【００３２】
１  距離センサー
２  視聴距離測定手段
３  視聴距離適正サイズ算出手段
４  映像表示位置算出手段
５  映像データリサイズ手段
６  メモリ
【図１】
2010175885.tif 000003
【図２】
2010175885.tif 000004
【図３】
2010175885.tif 000005